(57)【要約】【課題】飲料缶を手動で回転させるための労力を軽減する。【解決手段】飲料缶冷却器は、飲料缶冷却箱１０を備える。飲料缶冷却箱１０に飲料缶１００および冷媒１０２が収容される。飲料缶冷却器は、巻付材１２と、巻取器１４とをさらに備える。巻付材１２は飲料缶冷却箱１０内に飲料缶１００および冷媒１０２が収容される際に飲料缶１００に巻付けられる。巻取器１４は巻付材１２を巻取る。飲料缶冷却箱１０が、側壁部２０と、巻取器取付部２２とを有する。【選択図】図１
2015042910.tif 000002
【特許請求の範囲】
【請求項１】
飲料缶および冷媒が収容される飲料缶冷却箱を備える飲料缶冷却器において、
前記飲料缶冷却箱内に前記飲料缶および前記冷媒が収容される際に前記飲料缶に巻付けられる巻付材と、
前記巻付材を巻取る巻取器とをさらに備え、
前記飲料缶冷却箱が、
前記飲料缶および前記冷媒が収容されると前記飲料缶および前記冷媒を取囲む側壁部と、
前記巻取器を取り付けるための巻取器取付部とを有することを特徴とする飲料缶冷却器。
【請求項２】
前記飲料缶冷却箱が、前記巻付材のうち前記飲料缶に接触していた箇所が前記巻付材の引き出しに伴い通過する通過部をさらに有することを特徴とする請求項１に記載の飲料缶冷却器。
【請求項３】
前記通過部が、前記巻取器の前記巻付材巻取位置に対向するよう配置されることを特徴とする請求項２に記載の飲料缶冷却器。
【発明の詳細な説明】
【技術分野】
【０００１】
本発明は、飲料缶冷却器に関する。
【背景技術】
【０００２】
特許文献１は、飲料缶冷却器を開示する。この飲料缶冷却器は、箱の一方の側面に孔をあけ、その孔に回転駆動軸を通したものである。回転駆動軸には吸盤が装着されている。特許文献１に開示された飲料缶冷却器によると、５００ｍｌ入り飲料缶を約１分で飲み頃の温度へ冷却できる。
【０００３】
特許文献２も、飲料缶冷却器を開示する。この飲料缶冷却器は、横向き姿勢の飲料缶を上方開放箱状の冷却器本体内で氷と接触させながら回転させて冷却するものである。冷却器本体の内底面上にローラが設置されている。そのローラは飲料缶の円周下部を受けてその飲料缶を回転させる。そのローラは飲料缶の長手方向に沿って平行な横軸回りに回転可能である。
【先行技術文献】
【特許文献】
【０００４】
【特許文献１】特開２００１−３０４７３４号公報
【特許文献１】特開２００２−５４８６６号公報
【発明の概要】
【発明が解決しようとする課題】
【０００５】
しかしながら、特許文献１に開示された飲料缶冷却器と特許文献２に開示された飲料缶冷却器とには、飲料缶を手動で回転させる場合に労力が大きくなるという問題点がある。
【０００６】
本発明は、このような問題を解消するものである。その目的は、飲料缶を手動で回転させるための労力を軽減する飲料缶冷却器を提供することにある。
【課題を解決するための手段】
【０００７】
図面を参照して本発明の飲料缶冷却器を説明する。なお、この欄で図中の符号を使用したのは、発明の内容の理解を助けるためであって、内容を図示した範囲に限定する意図ではない。
【０００８】
すなわち、本発明のある局面に従うと、飲料缶冷却器は、飲料缶冷却箱１０を備える。飲料缶冷却箱１０に飲料缶１００および冷媒１０２が収容される。飲料缶冷却器は、巻付材１２と、巻取器１４とをさらに備える。巻付材１２は飲料缶冷却箱１０内に飲料缶１００および冷媒１０２が収容される際に飲料缶１００に巻付けられる。巻取器１４は巻付材１２を巻取る。飲料缶冷却箱１０が、側壁部２０と、巻取器取付部２２とを有する。
【０００９】
飲料缶冷却箱１０内に飲料缶１００および冷媒１０２が収容される際に巻付材１２を飲料缶１００に巻付け、飲料缶冷却箱１０内に飲料缶１００および冷媒１０２が収容された後に巻付材１２を引き出し、引き出した巻付材１２を巻取器１４に巻き取らせると、巻付材１２から受ける摩擦力で飲料缶１００が回転する。このようにして飲料缶１００を回転させる場合、回転駆動軸により飲料缶１００を回転させる場合よりも、手の動きが一次元方向の動きに近くなる。手の動きが一次元方向の動きに近くなると、飲料缶１００を回すための手の動きは簡単になる。手の動きが簡単になるので、缶を手動で回転させるための労力は軽くなる。その結果、飲料缶を手動で回転させるための労力を軽減できる。
【００１０】
また、上述した飲料缶冷却箱１０が、通過部２４をさらに有することが望ましい。巻付材１２のうち飲料缶１００に接触していた箇所が巻付材１２の引き出しに伴い通過部２４を通過する。これにより、巻付材１２のうち飲料缶１００に接触していた箇所は、巻付材１２の引き出しと巻き取りとに伴い同一の経路を通ることになる。同一の経路を通るため、通過部２４がない場合に比べ、巻付材１２が飲料缶１００に加える摩擦力の方向は一定に近付く。摩擦力の方向が一定に近付くと、飲料缶１００を回すための手の動きは簡単になる。
【００１１】
もしくは、上述した通過部２４が、巻取器１４の巻付材１２巻取位置に対向するよう配置されることが望ましい。これにより、巻付材１２のうち巻取器１４から引き出された箇所と、巻付材１２のうち飲料缶１００に接触していた箇所とは、巻取器１４の巻付材１２巻取位置に対向するよう通過部２４が配置されていない場合に比べ、平行に近くなる。これらの箇所が平行に近くなればなるほど、飲料缶１００を回す際の回転軸の揺れが少なくなる。回転軸の揺れが少なくなると、本来飲料缶を回転させるための労力が他のことに費やされる事態を回避できるその事態を回避できるので、飲料缶を手動で回転させるための労力を軽減できる。
【発明の効果】
【００１２】
本発明にかかる飲料缶冷却器によれば、飲料缶を手動で回転させるための労力を軽減できる。
【図面の簡単な説明】
【００１３】
【図１】本発明の一実施形態にかかる飲料缶冷却器の斜視図である。
【発明を実施するための形態】
【００１４】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１５】
［飲料缶冷却器の構成］
図１に基づいて、本実施形態にかかる飲料缶冷却器の構成が説明される。本実施形態にかかる飲料缶冷却器は、飲料缶冷却箱１０と、巻付材１２と、巻取器１４と、指掛リング１６とを備える。
【００１６】
飲料缶冷却箱１０は氷１０２により飲料缶１００が冷却されるための箱である。飲料缶冷却箱１０には飲料缶１００および氷１０２が収容される。飲料缶冷却箱１０は、側壁部２０と、巻取器取付部２２と、引掛部２４と、リブ２６とを有している。本実施形態の場合、側壁部２０と、巻取器取付部２２と、引掛部２４と、リブ２６とは一体である。側壁部２０は飲料缶１００および氷１０２が収容されると飲料缶１００および氷１０２を取囲む。巻取器取付部２２に巻取器１４が取り付けられる。引掛部２４に巻付材１２が引っ掛かる。本実施形態の場合、引掛部２４は巻取器１４の巻付材１２巻取位置に対向するように配置される。対向するように配置されるので、引掛部２４を通して巻取器取付部２２を見ると、巻取器取付部２２の向こうの巻付材１２巻取位置が見える。リブ２６は側壁部２０表面から飲料缶冷却箱１０の内部に向かって突出している。リブ２６は飲料缶冷却箱１０内での飲料缶１００の動きを抑える。ただし、飲料缶冷却箱１０に飲料缶１００および氷１０２が収容されると、氷１０２が飲料缶１００の外形に合うように溶ける。この溶けた氷１０２により、飲料缶１００の冷却中、飲料缶１００の動きは抑えられる。
【００１７】
巻付材１２は飲料缶１００に巻付けられる。巻付材１２が飲料缶１００に巻付けられるのは、飲料缶冷却箱１０内に飲料缶１００および氷１０２が収容される際である。本実施形態の場合、巻付材１２は合成繊維製の糸である。本実施形態の場合、巻付材１２の一端は巻取器１４の内部に固定されている。巻付材１２の他端には指掛リング１６が接続されている。
【００１８】
巻取器１４は巻付材１２を巻取る。本実施形態の場合、巻取器１４は周知のスプリングバランサにより構成されている。スプリングバランサは、巻付材１２が巻取られるドラム（図示せず）と、そのドラムを回転させるばね材（図示せず）とを有する。人が巻取器１４のドラムから巻付材１２を引き出すとばね材は弾性エネルギを蓄える。その人が巻付材１２を引き出すための力を緩めると、ばね材がドラムを回転させる。これにより、ドラムから引き出された巻付材１２はドラムに巻き戻される。巻取器１４がスプリングバランサにより構成されているので、引掛部２４に巻付材１２が引っ掛かっている間、巻取器１４は巻付材１２を巻取ろうとする。巻付材１２を巻取ろうとする力により、巻取器１４は巻取器取付部２２に取り付けられる。なお、スプリングバランサの具体的な構造は周知なので、ここではその詳細な説明は繰返されない。
【００１９】
上述したとおり、指掛リング１６は指掛リング１６に巻付材１２に接続されている。本実施形態の場合、指掛リング１６は周知の金属製の輪である。指掛リング１６に人の指が掛かる。
【００２０】
［飲料缶冷却器の使用方法］
本実施形態にかかる飲料缶冷却器の使用方法を説明する。
【００２１】
まず、本実施形態にかかる飲料缶冷却器のユーザ（以下単に「ユーザ」と称する）は、飲料缶冷却箱１０に氷１０２を入れる。氷１０２が入れられると、ユーザは、指掛リング１６に自らの指を指掛リング１６を引く。これによりユーザは巻取器１４から巻付材１２を引出すことができる。巻付材１２が引出されると、ユーザは、その巻付材１２を飲料缶１００に巻き付ける。この巻き付けの際、ユーザは、巻取器取付部２２から予め巻取器１４を取外しておいてもよい。巻付材１２が飲料缶１００に巻き付けられると、ユーザは、飲料缶１００を飲料缶冷却箱１０に入れる。巻取器取付部２２から予め巻取器１４が取外されている場合、ユーザは巻取器取付部２２に巻取器１４を取り付けてから飲料缶１００を飲料缶冷却箱１０に入れる。飲料缶１００が飲料缶冷却箱１０に入れられると、ユーザは、巻付材１２の一端を引掛部２４に引っ掛ける。巻付材１２の一端が引掛部２４に引っ掛かった状態でユーザが指掛リング１６を引く力を緩めると、巻取器１４は巻付材１２を巻取る。指掛リング１６は引掛部２４に引っ掛かる。指掛リング１６が引掛部２４に引っ掛かった後、ユーザは飲料缶冷却箱１０に氷１０２を追加する。氷１０２が追加されると、ユーザは、指掛リング１６に自らの指を指掛リング１６を引いたり指掛リング１６を引く力を緩めたりする。指掛リング１６を引く力が緩められると巻取器１４は巻付材１２を巻取る。これにともない、巻付材１２から受ける摩擦力で飲料缶１００が回転する。回転にともない、氷１０２によって飲料缶１００が冷却される。指掛リング１６を引いたり指掛リング１６を引く力を緩めたりすることが約１分繰返されると、飲料缶１００内の飲料は飲み頃の温度になる。その後、ユーザは、引掛部２４から巻付材１２をはずし、飲料缶冷却箱１０から飲料缶１００を取り出し、飲料缶１００から巻付材１２をはずす。
【００２２】
［本実施形態にかかる飲料缶冷却器の効果］
以上のようにして、本実施形態にかかる飲料缶冷却器によれば、急速に飲料缶１００を冷却できる。冷却にあたって巻付材１２を引いたり巻付材１２を引く力を緩めたりすれば飲料缶１００を冷却できるので、回転駆動軸により飲料缶１００を回転させる場合よりも、飲料缶１００の冷却のための労力を軽減できる。
【００２３】
また、本実施形態にかかる飲料缶冷却器は引掛部２４を有する。引掛部２４に巻付材１２が引っ掛かった状態で巻付材１２を引いたり巻付材１２を引く力を緩めたりする場合、巻付材１２のうち飲料缶１００に接触していた箇所は、巻付材１２の引き出しと巻き取りとに伴い同一の経路を通ることになる。同一の経路を通るため、引掛部２４に巻付材１２が引っ掛かっていない場合に比べ、巻付材１２が飲料缶１００に加える摩擦力の方向は一定に近付く。摩擦力の方向が一定に近付くと、飲料缶１００を回すための手の動きは簡単になる。その結果、飲料缶１００の冷却のための労力を軽減できる。さらに、例えば環状の通過部を巻付材１２が通過する場合に比べ、引掛部２４に対する巻付材１２の取り付け取り外しが容易になる。巻付材１２の取り付け取り外しが容易なので、巻付材１２の飲料缶１００への巻き付けが容易になる。
【００２４】
また、本実施形態にかかる引掛部２４は、巻取器１４の巻付材１２巻取位置に対向するよう配置されている。これにより、巻付材１２のうち巻取器１４から引き出された箇所と、巻付材１２のうち飲料缶１００に接触していた箇所とは、巻取器１４の巻付材１２巻取位置に対向するよう引掛部２４が配置されていない場合に比べ、平行に近くなる。これらの箇所が平行に近くなればなるほど、飲料缶１００を回す際の回転軸の揺れが少なくなる。回転軸の揺れが少なくなると、本来飲料缶１００を回転させるための労力が他のことに費やされる事態を回避できる。その事態を回避できるので、飲料缶１００を手動で回転させるための労力を軽減できる。
【００２５】
また、本実施形態にかかる飲料缶冷却器は、巻取器１４としてスプリングバランサを有する。スプリングバランサは巻付材１２を引く力が緩められると自動的に巻付材１２を巻き取る。これにより、飲料缶１００の回転軸が迅速化できる。
【００２６】
また、本実施形態にかかる飲料缶冷却器は、指掛リング１６を備える。これにより、指掛リング１６に指を欠けると巻付材１２を引いたり巻付材１２を引く力を緩めたりできる。
【００２７】
また、本実施形態にかかる飲料缶冷却器は、リブ２６を有する。これにより、氷１０２の料が少ない場合にも飲料缶１００の動きを抑えられる。
【００２８】
［変形例の説明］
今回開示された実施形態はすべての点で例示である。本発明の範囲は上述した実施形態に基づいて制限されるものではない。もちろん、本発明はその趣旨を逸脱しない範囲で種々の設計変更をしてもよい。
【００２９】
例えば、指掛リング１６とリブ２６との形態は特に限定されない。本発明にかかる飲料缶冷却器は、指掛リング１６とリブ２６とのうち少なくとも一方を有していなくともよい。飲料缶冷却箱１０の具体的形状も上述したものに限定されない。
【００３０】
また、巻取器１４はスプリングバランサに限定されない。ただし、巻取器１４は、巻付材１２を引く力が閾値以下になると自動的に巻付材１２を巻取るものであることが望ましい。当然、この場合の閾値は一定でなくてもよい。
【００３１】
飲料缶冷却箱１０は、上述した引掛部２４の代わりに、他の構造のものを有していてもよい。この場合、飲料缶冷却箱１０が引掛部２４の代わりに有するものは、引掛部２４と同様に、巻付材１２のうち飲料缶１００に接触していた箇所が巻付材１２の引き出しに伴い通過するものである。本発明の説明においては、そのようなものと引掛部２４とを通過部と総称する。本発明にかかる飲料缶冷却箱１０は通過部を有していなくともよい。
【００３２】
また、飲料缶１００を冷却するための冷媒は氷１０２に限定されない。飲料缶１００を冷却するための冷媒はユーザによって任意に選択されるべきである。
【００３３】
また、巻取器取付部２２の具体的な構造は上述したものに限定されない。例えば、巻取器取付部２２は飲料缶冷却箱１０の側壁部２０のうちスリットが形成されている部分であってもよい。この場合、そのスリットの間から巻付材１２引き出されるとよい。また、巻取器取付部２２は巻取器１４が巻付材１２を巻取ろうとする力により巻取器１４が取り付けられるものに限定されない。例えば、巻取器取付部２２は巻取器１４が固定されるものでもよい。
【００３４】
また、巻付材１２の形状と構造とは特に限定されない。例えば巻付材１２は帯状であってもよい。
【符号の説明】
【００３５】
１０…飲料缶冷却箱、
１２…巻付材、
１４…巻取器、
１６…指掛リング、
２０…側壁部、
２２…巻取器取付部、
２４…引掛部、
２４…通過部、
２６…リブ、
１００…飲料缶、
１０２…氷、
【図１】
2015042910.tif 000003